(57)【要約】【課題】実在の音場に対応した調整値を設定する際に、各種調整値をユーザーが個別に調整する場合と比較して容易に設定できるようにする。【解決手段】コンサートホールに配置された配信装置２０は、コンサートホールの音場を再現する調整データを、コンサートホールにいるユーザーの端末装置１０へ近距離無線通信により送信する。端末装置１０は、配信装置２０から送信された調整データを記憶する。ユーザーが自宅に戻ると、端末装置１０は、記憶した調整データをアンプ３０へ送信する。アンプ３０は、端末装置１０から送信された調整データを記憶する。アンプ３０は、コンサートホールの音場が再現されるように、調整データに基づいてオーディオ信号に音響処理を施し、音響処理が施されたオーディオ信号をスピーカへ出力する。【選択図】図１
2016057439.tif 000002
【特許請求の範囲】
【請求項１】
施設の音場を再現する調整データを当該施設に配置された配信装置から無線通信により受信する受信手段と、
前記受信手段が受信した調整データを記憶する記憶手段と、
前記調整データに基づいてオーディオ信号に前記施設の音場を再現する音響処理を施し、当該音響処理が施されたオーディオ信号を出力する装置へ、前記記憶手段に記憶された前記調整データを無線通信により送信する送信手段と、
を有する端末装置。
【請求項２】
前記無線通信はＢＬＥ（Bluetooth Low Energy）の規格に従った通信であり、
前記ＢＬＥの規格に従った通信により特定される前記配信装置までの距離に対応した前記調整データを前記配信装置から受信する
請求項１に記載の端末装置。
【請求項３】
コンピュータを、
施設の音場を再現する調整データを当該施設に配置された配信装置から無線通信により受信する受信手段と、
前記受信手段が受信した調整データを記憶する記憶手段と、
前記調整データに基づいてオーディオ信号に前記施設の音場を再現する音響処理を施し、当該音響処理が施されたオーディオ信号を出力する装置へ、前記記憶手段に記憶された前記調整データを無線通信により送信する送信手段と、
として機能させるためのプログラム。
【発明の詳細な説明】
【技術分野】
【０００１】
本発明は、音場を再現する技術に関する。
【背景技術】
【０００２】
ＡＶアンプをコントロールするスマートフォンのアプリケーションプログラムとして、例えば、非特許文献１に記載されたアプリケーションプログラムがある。このアプリケーションプログラムによれば、ＡＶアンプと通信を行い、各種設定を行うことができる。
【先行技術文献】
【非特許文献】
【０００３】
【非特許文献１】“商品の特徴｜ＴＡ−ＤＡ５８００ＥＳ｜コンポーネントオーディオ｜ソニー”、［online］、ソニー株式会社、［平成２６年８月２２日検索］、インターネット<http://www.sony.jp/audio/products/TA-DA5800ES/feature_3.html_L1_340>
【発明の概要】
【発明が解決しようとする課題】
【０００４】
非特許文献１のアプリケーションプログラムにおいては、各種の音場を選択するメニュー画面があり、いずれかの音場を選択する操作を行うと、選択した音場をＡＶアンプで再現することができる。しかしながら、再現することができる音場は、アプリケーションプログラムに予め設定されているものでしかなく、他の音場を設定することができない。ＡＶアンプにおいては、リモコンや本体のボタンなどでＤＳＰの調整を行うことにより、ユーザーが好みの音場を再現することもできるが、ＤＳＰの知識の少ないユーザーにとって、ＤＳＰの多数の調整値を設定して音場を再現することは難しく、手間がかかる。
【０００５】
本発明は、上述した背景の下になされたものであり、実在の音場に対応した調整値を設定する際に、各種調整値をユーザーが個別に調整する場合と比較して容易に設定できるようにする技術を提供することを目的とする。
【課題を解決するための手段】
【０００６】
本発明は、施設の音場を再現する調整データを当該施設に配置された配信装置から無線通信により受信する受信手段と、前記受信手段が受信した調整データを記憶する記憶手段と、前記調整データに基づいてオーディオ信号に前記施設の音場を再現する音響処理を施し、当該音響処理が施されたオーディオ信号を出力する装置へ、前記記憶手段に記憶された前記調整データを無線通信により送信する送信手段と、を有する端末装置を提供する。
【０００７】
また、本発明は、前記無線通信はＢＬＥ（Bluetooth (登録商標) Low Energy）の規格に従った通信であり、前記ＢＬＥの規格に従った通信により特定される前記配信装置までの距離に対応した前記調整データを前記配信装置から受信するようにしてもよい。
【０００８】
また、本発明は、コンピュータを、施設の音場を再現する調整データを当該施設に配置された配信装置から無線通信により受信する受信手段と、前記受信手段が受信した調整データを記憶する記憶手段と、前記調整データに基づいてオーディオ信号に前記施設の音場を再現する音響処理を施し、当該音響処理が施されたオーディオ信号を出力する装置へ、前記記憶手段に記憶された前記調整データを無線通信により送信する送信手段と、として機能させるためのプログラムを提供する。
【発明の効果】
【０００９】
本発明によれば、実在の音場に対応した調整値を設定する際に、各種調整値をユーザーが個別に調整する場合と比較して容易に設定することができる。
【図面の簡単な説明】
【００１０】
【図１】本発明の一実施形態に係る装置を示した図。
【図２】端末装置１０のハードウェア構成を示したブロック図。
【図３】端末装置１０の機能構成を示した機能ブロック図。
【図４】配信装置２０のハードウェア構成を示したブロック図。
【図５】アンプ３０のハードウェア構成を示したブロック図。
【図６】実施形態の一動作例を示したシーケンス図。
【発明を実施するための形態】
【００１１】
［実施形態］
図１は、本発明の実施形態に係る装置を示した図である。本実施形態に係る端末装置１０は、所謂スマートフォンである。端末装置１０は、近距離無線通信の機能を有しており、ＢＬＥ（Bluetooth（登録商標） Low Energy）の通信規格に従った通信を行う。なお、端末装置１０は、スマートフォンに限定されるものではなく、タブレット端末やデータ通信に特化したコンピュータ装置などであってもよい。
配信装置２０は、例えば、コンサートホールに設置されたコンピュータ装置である。配信装置２０は、近距離無線通信の機能を有しており、ＢＬＥの通信規格に従った通信を行う。
アンプ３０は、所謂ＡＶアンプであり、入力されるオーディオ信号を増幅してスピーカへ出力し、入力される映像信号を映像機器へ出力する機能を有する。アンプ３０は、ＤＳＰを有しており、オーディオ信号に音響処理を施し、各種音場を再現する機能を有する。また、アンプ３０も、近距離無線通信の機能を有しており、ＢＬＥの通信規格に従った通信を行う。
【００１２】
（端末装置１０の構成）
図２は、端末装置１０のハードウェア構成の一例を示した図である。制御部１０１は、ＣＰＵ（Central Processing Unit）やＲＡＭ（Random Access Memory）、不揮発性メモリを備えており、ＣＰＵが不揮発性メモリに記憶されているプログラムを実行すると、スマートフォンのオペレーティングシステムが実現する。
【００１３】
タッチパネル１０３は、表示装置（例えば液晶ディスプレイ）と位置入力装置とが一体化した装置である。タッチパネル１０３は、端末装置１０を操作するための各種画面を表示する。また、タッチパネル１０３は、表示装置上においてユーザーが指又はスタイラスペンで触れた位置を示す情報を制御部１０１へ出力する。制御部１０１は、表示装置で表示されている画面と、タッチパネル１０３から出力された情報に基づいてユーザーの操作を特定し、特定した操作に応じた処理を実行する。操作部１０４は、端末装置１０を操作するためのボタンを備えている。通信部１０５は、移動体通信網を介して無線通信を行う通信インターフェースとして機能する。近距離通信部１０８は、ＢＬＥの通信規格に従った通信を行う機能を有しており、同じ通信規格に従った通信を行う他の装置と通信を行う。
【００１４】
音声処理部１０７は、マイクロホンとスピーカを有している。音声処理部１０７は、端末装置１０同士が音声通話を行う場合、通話相手の音声に係るデジタル信号が通信部１０５から供給されると、供給されたデジタル信号をアナログ信号に変換する。このアナログ信号は、スピーカへ供給され、スピーカからは、通話相手の音声が放音される。また、音声処理部１０７は、マイクロホンが音声を収音すると、収音した音声をデジタル信号に変換する。音声処理部１０７は、端末装置１０で音声通話を行う場合、ユーザーの音声を変換したデジタル信号を通信部１０５へ供給する。このデジタル信号は、通信部１０５から移動体通信網へ送信され、通話相手の端末装置１０へ送信される。
【００１５】
記憶部１０２は、不揮発性メモリであり、各種アプリケーションプログラム（以下、アプリと称する）やアプリが使用するデータを記憶する。本実施形態においては、アンプ３０が音場を再現するときに使用するＤＳＰの各種調整データを配信装置２０から受信し、受信した調整データをアンプ３０へ送信してアンプ３０の設定を行う設定アプリを記憶している。
【００１６】
（端末装置１０の機能構成）
図３は、設定アプリを実行することにより実現する機能の構成を示した機能ブロック図である。受信部１５１は、近距離通信部１０８を制御し、配信装置２０が送信する調整データを受信する。メモリ制御部１５２は、受信部１５１が受信した調整データを記憶部１０２に書き込む。また、メモリ制御部１５２は、記憶部１０２に記憶されている調整データを読み出し、読み出した調整データを送信部１５３へ供給する。送信部１５３は、メモリ制御部１５２から供給された調整データを、近距離通信部１０８を制御してアンプ３０へ送信する。
【００１７】
（配信装置２０の構成）
図４は、配信装置２０のハードウェア構成の一例を示した図である。近距離通信部２０５は、ＢＬＥの通信規格に従った通信を行う機能を有しており、同じ通信規格に従った通信を行う他の装置と通信を行う。記憶部２０２は、データを永続的に記憶する不揮発性メモリを有している。記憶部２０２は、後述するアンプ３０のＤＳＰがオーディオ信号に音響処理を施すときに使用する調整データを記憶する。ここで、記憶部２０２に記憶されている調整データは、配信装置２０が設置されているコンサートホールの音場を再現する内容となっている。制御部２０１は、ＣＰＵやＲＡＭ、不揮発性メモリを備えており、ＣＰＵが不揮発性メモリに記憶されているプログラムを実行すると、調整データを端末装置１０へ送信する機能が実現する。
【００１８】
（アンプ３０の構成）
図５は、アンプ３０のハードウェア構成の一例を示した図である。制御部３０１は、ＣＰＵやＲＡＭ、不揮発性メモリを備えている。ＣＰＵは、不揮発性メモリに記憶されているプログラムを実行し、各部を制御する。記憶部３０２は、データを永続的に記憶する不揮発性メモリを有している。記憶部３０２は、後述するＤＳＰがオーディオ信号に音響処理を施すときに使用する調整データを記憶する。操作部３０３は、アンプ３０を操作するための各種ボタンを有している。制御部３０１は、操作部３０３において操作されたボタンに応じて各種処理を実行する。近距離通信部３０４は、ＢＬＥの通信規格に従った通信を行う機能を有しており、同じ通信規格に従った通信を行う他の装置と通信を行う。
【００１９】
信号取得部３０７は、オーディオ信号や映像信号の入力端子を複数備えている。信号取得部３０７は、制御部３０１により制御され、複数の入力端子に入力されたオーディオ信号から一つのオーディオ信号を選択して信号処理部３０６へ出力する。また、信号取得部３０７は、制御部３０１により制御され、複数の入力端子に入力された映像信号から一つを選択して信号出力部３０８へ出力する。
信号処理部３０６は、ＡＤコンバータ、ＤＳＰ、ＤＡコンバータを有する。ＡＤコンバータは、信号取得部３０７から供給されたオーディオ信号をデジタル信号に変換してＤＳＰへ出力する。ＤＳＰは、制御部３０１が記憶部３０２から取得して信号処理部３０６へ出力した調整データに基づいてデジタル信号に音響処理を施し、音響処理が施されたデジタル信号をＤＡコンバータへ出力する。ＤＡコンバータは、ＤＳＰから供給されるデジタル信号をアナログ信号であるオーディオ信号に変換して信号出力部３０８へ出力する。
信号出力部３０８は、映像信号の出力端子と、オーディオ信号の出力端子を備えており、信号取得部３０７から供給される映像信号を映像信号の出力端子へ供給し、ＤＳＰから供給されるオーディオ信号をオーディオ信号の出力端子へ供給する。
【００２０】
（実施形態の動作例）
次に本実施形態の動作例について、図６のシーケンス図を用いて説明する。コンサートホールにいるユーザーが端末装置１０において設定アプリを起動する操作を行うと、制御部１０１は、記憶部１０２から設定アプリを取得して実行する。制御部１０１は、設定アプリを実行すると、配信装置２０が送信するアドバタイズメントパケットを受信する（ステップＳ１）。このアドバタイズメントパケットを近距離通信部１０８が受信すると、制御部１０１は、配信装置２０との接続状態へ移行し（ステップＳ２）、近距離通信部１０８を制御して接続要求を送信する（ステップＳ３）。この接続要求を近距離通信部２０５が受信すると、制御部２０１は、端末装置１０との接続状態へ移行する（ステップＳ４）。
【００２１】
接続状態へ移行した制御部２０１は、記憶部２０２に記憶されている調整データを取得し、取得した調整データを、近距離通信部２０５を制御して送信する（ステップＳ５）。この調整データを近距離通信部１０８が受信すると、制御部１０１は、近距離通信部２０５から送信された調整データを記憶部１０２に記憶させる（ステップＳ６）。
【００２２】
配信装置２０と端末装置１０は、一定間隔で通信を行い、通信が維持されている間は、接続状態を維持する。一方、端末装置１０のユーザーが配信装置２０の通信範囲外に出ると、互いに通信相手からの通信が届かなくなり、通信ができなくなる。端末装置１０は、配信装置２０と通信ができなくなると、配信装置２０の通信範囲外に出たと判断し、接続状態を解除する（ステップＳ７）。また、配信装置２０も、端末装置１０と通信ができなくなると、接続状態を解除する（ステップＳ８）。
【００２３】
この後にユーザーが帰宅し、自宅のアンプ３０に近づくと、近距離通信部３０４が送信しているアドバタイズメントパケットを近距離通信部１０８が受信する（ステップＳ９）。このアドバタイズメントパケットを近距離通信部１０８が受信すると、制御部１０１は、端末装置１０との接続状態へ移行し（ステップＳ１０）、近距離通信部１０８を制御して接続要求を送信する（ステップＳ１１）。この接続要求を近距離通信部３０４が受信すると、制御部３０１は、端末装置１０との接続状態へ移行する（ステップＳ１２）。
【００２４】
制御部１０１は、アンプ３０との接続状態へ移行すると、記憶部１０２に記憶されている調整データを取得し、取得した調整データを、近距離通信部１０８を制御してアンプ３０へ送信する（ステップＳ１３）。この調整データを近距離通信部３０４が受信すると、制御部３０１は、近距離通信部３０４が受信した調整データを記憶部３０２に記憶させる（ステップＳ１４）。
【００２５】
この後、ユーザーが設定アプリを終了させると（ステップＳ１５）、端末装置１０からアンプ３０への通信が行われなくなる。アンプ３０は、端末装置１０と通信ができなくなると、接続状態を解除する（ステップＳ１６）。調整データを記憶したアンプ３０においては、記憶した調整データを制御部３０１が信号処理部３０６へ供給する。信号処理部３０６は、供給された調整データに基づいてオーディオ信号に音響処理を施す。
【００２６】
本実施形態によれば、ユーザーが行った場所の音場を再現する調整データを、設定アプリが取得してアンプ３０へ出力するため、煩雑な操作を行わなくともユーザーが行った場所の音場を再現することができる。
【００２７】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した各実施形態及び以下の変形例は、一つ又は複数を適宜組み合わせて実施してもよい。
【００２８】
上述した実施形態においては、端末装置１０は、配信装置２０から調整データを取得しているが、本発明は、この構成に限定されるものではない。例えば、配信装置２０は、通信ネットワークに接続されており、調整データを記憶したサーバ装置の通信ネットワーク上におけるアドレスを端末装置１０へ送信し、端末装置１０は、受信したアドレスで特定されるサーバ装置と通信を行い、サーバ装置から調整データを取得してもよい。
【００２９】
上述した実施形態においては、配信装置２０は、施設の一例であるコンサートホールに配置されているが、配信装置２０の配置場所はコンサートホールに限定されるものではなく、例えば、多目的ホール、ライブハウス、オペラハウス、野球場、屋外のステージなど、他の施設であってもよい。
【００３０】
上述した実施形態においては、調整データの内容は、施設の音場を再現する内容となっているが、この構成に限定されるものではない。例えば、ライブハウスにおいては、ライブハウスに配置されたスピーカや音場を調整する調音パネルによって得られる音場の調整データを配信装置２０が送信するようにしてもよい。
【００３１】
ＢＬＥの通信規格においては、ＢＬＥに従った通信を行う装置同士は、通信相手までの距離を特定することができる。例えば、コンサートホールの演奏用スペースの上方に配信装置２０を配置し、配信装置２０は、端末装置１０までの距離を特定する。
配信装置２０は、特定した配信装置２０から端末装置１０までの距離により、コンサートホールにおいて端末装置１０が位置する領域として、例えば、ホール前方（演奏スペースに近い方向）、ホール中央、ホール後方、２階席などを特定する。コンサートホールにおいては、これらの位置によって音の聞こえ方が異なる場合があるため、配信装置２０は、端末装置１０までの距離に応じた調整データ、即ち、特定した領域に対応した音響特性を再現する調整データを端末装置１０へ送信してもよい。
【００３２】
上述した実施形態においては、ＢＬＥの通信規格に従って各装置が通信を行っているが、各装置が従う通信規格は、ＢＬＥに限定されるものでない。例えば、各装置は、無線ＬＡＮの通信規格に従って通信を行ってもよい。また、端末装置１０は、配信装置２０との間ではＢＬＥに従った通信を行い、アンプ３０との間では無線ＬＡＮの通信規格に従った通信を行うというように、通信相手に応じて通信方法が異なるようにしてもよい。
【００３３】
上述した実施形態においては、配信装置２０は、アンプ３０に対応した調整データを送信しているが、アンプ３０の機種が複数ある場合、アンプ３０毎にＤＳＰが異なり、調整データの種類が異なる場合がある。アンプ３０の機種が複数ある場合には、配信装置２０は、各機種に対応した調整データを端末装置１０へ送信し、端末装置１０は、配信装置２０から取得した調整データのうち、通信相手となるアンプ３０に対応した調整データをアンプ３０へ送信するようにしてもよい。
【００３４】
各装置のプログラムは、磁気記録媒体（磁気テープ、磁気ディスク（ＨＤＤ（Hard Disk Drive）、ＦＤ（Flexible Disk））など）、光記録媒体（光ディスクなど）、光磁気記録媒体、半導体メモリなどのコンピュータ読取り可能な記録媒体に記憶した状態で提供し、インストールしてもよい。また、通信回線を介してプログラムをダウンロードしてインストールしてもよい。
【符号の説明】
【００３５】
１０…端末装置、２０…配信装置、３０…アンプ、１０１…制御部、１０２…記憶部、１０３…タッチパネル、１０４…操作部、１０５…通信部、１０７…音声処理部、１０８…近距離通信部、１５１…受信部、１５２…メモリ制御部、１５３…送信部、２０１…制御部、２０２…記憶部、２０５…近距離通信部、３０１…制御部、３０２…記憶部、３０３…操作部、３０４…近距離通信部、３０６…信号処理部、３０７…信号取得部、３０８…信号出力部
【図１】
2016057439.tif 000003
【図２】
2016057439.tif 000004
【図３】
2016057439.tif 000005
【図４】
2016057439.tif 000006
【図５】
2016057439.tif 000007
【図６】
2016057439.tif 000008